(57)【要約】【課題】マーカーの保持を確実にした上で、その着脱を容易とする。【解決手段】マーカー１を磁力によってマーカー保持部２に吸着させるとともに、マーカー保持部２の保持面４に設けられた溝部６に針部５を嵌合させて保持する。マーカー１を溝部６に沿って平面方向に移動させて、マーカー本体７の縁部８を保持面縁９から外方へ突出させる。【選択図】図２
2004222930.tif 000002
【特許請求の範囲】
【請求項１】
マーカーとマーカー保持部のいずれか一方にマグネットを、他方に磁力により引き付けられる金属を含み、
マーカー保持部の保持面は、マーカーの針部が嵌合するとともに、針部を平面方向に移動案内する溝部を備え、
当該溝部は、針部が移動したときにのみ少なくともマーカーの縁部を保持面縁から外方へ突出させる長さを有しているパークゴルフ用マーカーの保持構造。
【請求項２】
溝部の一方端または両端が開放されている請求項１に記載のパークゴルフ用マーカーの保持構造。
【発明の詳細な説明】
【０００１】
【発明の属する技術分野】
本発明は、パークゴルフに用いられるマーカーの保持構造に関し、詳しくは、金属製のマーカーを保持するための保持構造に関する。
【０００２】
【従来の技術】
最近、パークゴルフのマーカーは、金属製または一部に金属を使用したある程度重量を有するものが使用される例が多い。
これは、プラスティック製のマーカーは軽量であるため、地面に刺しても芝の状態によっては浮き上がったり、マーカー上を転がるボールによってマーカーが弾き飛ばされたりすることが多く生じることからである。
【０００３】
従来、前記金属製または一部に金属が使用されたマーカーの携帯方法として、磁力を利用してマーカーを保持することによって携帯する方法が既に提案されている。（例えば、特許文献１参照）
【０００４】
【特許文献１】
特開昭５８−１３３２７３号（第２頁４段９行目〜第３頁７段５行目、第１図および第２図）
【０００５】
【発明が解決しようとする課題】
ところで、特許文献１に記載されている保持構造は、マーカー本体の径を保持部の径よりもわずかに大径として、マーカー本体の縁部を保持部から外方へ突出させることによって、取外す際には、マーカーの保持位置において保持部から突出したマーカー本体の縁部に指を引掛けて抜き取るようにしている。
また、取付け状態では、前記マーカー本体の縁部を必ず突出させるために、マーカーにおける突起の径を係着具における孔の径に対して、嵌合状態において平面方向のずれを最小限としまたはずれが生じない程度の径とする必要が有る。
【０００６】
しかしながら、この保持構造では、マーカー本体の縁部が常時突出しているので、この突出した縁部がプレー中に誤って衣服やクラブに引っ掛かって外れてしまう可能性が有り、この縁部の突出量を引っ掛かり難い程度にすると、逆に取り外し難くなってしまう。
また、取付ける際においては、前記突起を前記孔の位置に正確に合わせて行う必要があるため、取付け難いものであった。
【０００７】
そこで、本発明は、マーカーの保持を確実にした上で、その着脱を容易とすることを課題とし、この課題を解決したマーカーの保持構造の提供を目的とする。
【０００８】
【課題を解決するための手段】
上記した目的を達成するために本発明は下記の技術的手段を採用した。
その技術的手段は、図１ないし図４に示すように、マーカー１とマーカー保持部２のいずれか一方にマグネット３を、他方に磁力により引き付けられる金属を含み、マーカー保持部２の保持面４には、マーカー１の針部５が嵌合するとともに、針部５を平面方向に移動案内する溝部６を備え、当該溝部６は、針部５が移動したときに少なくともマーカー本体７の縁部８を保持面縁９から外方へ突出させる長さを有しているパークゴルフ用マーカーの保持構造にしたことである。（請求項１）
【０００９】
本発明によれば、マーカー１はマグネット３の磁力によってマーカー保持部２に吸着保持され、この保持状態では、マーカー本体７の縁部８は保持面縁９から突出しない。
マーカー１を取り外す場合には、以下の動作により行う。
マーカー本体７に溝部６の長手方向に沿う方向に力を加えて、針部５を溝部６に沿わせて移動させる。
これに伴ってマーカー本体７が保持面４上を滑りながら移動し、マーカー本体７の縁部８がマーカー保持部２の保持面縁９から外方へ突出する。
そして、前記突出した縁部８を指で押し上げたり引き抜くことによってマーカー１を取り外すことができる。
また、マーカー１を取付ける場合には、針部５を溝部６のいずれの部位からでも挿し込めば取付けることができる。
【００１０】
したがって、マーカー１の保持状態ではマーカー本体７の縁部８の突出が無いので、衣服やクラブの引っ掛かりによる外れが防止され、確実な保持状態を達成することができる。
そして、取外しについては、マーカー１を溝部６の長手方向にに沿ってずらしてマーカー本体７の縁部８を突出させることで行え、しかも、最も取り外しやすい突出量となるようにマーカー１のずらし量を調節することができる。
また、取付けについては、溝部６のいずれの位置においても針部５を挿し込むことができるので、容易な取り付けが可能となる。
よって、マーカー１の保持を確実にした上で、その着脱を容易とする目的を達成することができる。
【００１１】
【発明の実施の形態】
マグネット３は、マーカー１側もしくはマーカー保持部２側いずれにあってもよいが、好適には図に示すように、マーカー保持部２側であり、マグネット３がマーカー保持部２側にあれば、通常用いられる金属または金属を含むマーカー１を吸着保持することができる。
マグネットは、マーカー保持部における保持面の全域または一部、あるいは、保持面に対面するマーカー本体の吸着面の全域または一部に配設することが好適であるが、溝部内の長手方向全域、あるいは、針部の全長に亘って配設しても本願発明の目的を達成することができる。
【００１２】
溝部の長さは可能な限り長くすることが好適であり、溝部が長くなればマーカー本体の縁部の突出量を多く取ることができる。
さらに、好適には、図に示すように、溝部６の一方端または両端を開放すること（請求項２）である。
請求項２の発明によれば、マーカー１を溝部６の開放端部６１側へ滑らせれば、針部５が開放端部６１から抜け出て、そのままマーカー１を取り外すことができるので、マーカー１の取り外しがさらに容易となる。
しかも、例えば、針部５に付いた土や芝が溝部６に入り込んでも、針部５や針部の太さに相当するような棒（図示せず）を用いて、溝部６に入り込んだ土や芝を開放端部６１からこそぎ出すことができる。
したがって、マーカー１の取り外しがさらに容易となる上に、溝部６内の清掃が極めて容易、かつ迅速に行うことができるという優れた効果を有する。
【００１３】
【実施例】
以下、本発明の実施例を図面に基づいて説明すると、図１および図２は第１実施例を、図３は第２実施例を、図４は第３実施例をそれぞれ示す。
第１実施例で例示する保持構造は、クラブＣのグリップエンドＣ１に、マグネット３を配したマーカー保持部２を設け、このマーカー保持部２に金属製のマーカー１を保持するものである。
【００１４】
詳述すると、マーカー１は金属製の周知形状のものであり、裏面を吸着面７１とするマーカー本体７と、吸着面７１の中心に設けられた針部５とからなる。
マーカー保持部３は、前記吸着面７１を吸着してマーカー１を保持する保持面４と、前記針部５が挿し込まれる溝部６と、保持面４の溝部６周りに埋設されたマグネット３と、前記マーカー本体７の縁部８を支えてマーカー１を保持面４の中心に保持する保持板３１とからなる。
【００１５】
保持面４は、前記マーカー本体７と略同径として、マーカー１が保持された状態においてマーカー本体７の縁部８が保持面縁９から突出しないようにしている。
溝部６は、深さが前記針部５の長さよりも若干深く、幅が針径より若干大きな幅に形成し、針部５が溝部６内をスムースに移動できるようにしてある。
マグネット３は、溝部６の左右に長手方向に沿って配されている。
保持板３１は、保持面縁９に溝部６を挟んでその長手方向に沿って立設され、マーカー１の取り外し方向側にはマーカー本体７の径に対応する開放部３２が設けられ、逆側にはマーカー本体７の縁部８に沿って接触してこれ以上のマーカー本体の移動を阻止するストッパー３３が設けられている。
この保持板３１の存在によって、保持状態においてマーカー本体７の縁部８を保持面縁９から突出させないようにすることができる。
【００１６】
第２実施例で例示する保持構造は、溝部６の構造が、溝部の一方端（以下、開放端部という）を開放し、この開放端部６１から針部５を平面方向に抜き取ることによってマーカー１を取り外すようにしている。
また、本実施例のマーカー保持部２は、ベルト通し部２１を備えており、このベルト通し部２１をプレーヤーのベルトに通すことによって、マーカー１を携帯するようにしている。
なお、第１実施例と重複する部位についての説明は、図面に同符号を付すことにより省略した。
【００１７】
第３実施例で例示する保持構造は、マーカー保持部２にベルト掛部２２を備えたものであり、このベルト掛部２２をプレーヤーのベルトに通すことによって、マーカー１を携帯するようにしている。
なお、第１実施例および第２実施例と重複する部位についての説明は、図面に同符号を付すことにより省略した。
【００１８】
本発明の保持構造は、前記実施例で例示した構成に限定するものではなく、特許請求の範囲された内容から逸脱しない範囲で他の構成による実施が可能である。
【図面の簡単な説明】
【図１】本発明の第１実施例を示す斜視図。
【図２】図１（ａ）の（２）−（２）線断面図。
【図３】本発明の第２実施例を示す斜視図。
【図４】本発明の第３実施例を示す斜視図。
【符号の説明】
１：マーカー
２：マーカー保持部
３：マグネット
４：保持面
５：針部
６：溝部
７：マーカー本体
８：縁部
９：保持面縁
６１：開放端部
【図１】
2004222930.tif 000003
【図２】
2004222930.tif 000004
【図３】
2004222930.tif 000005
【図４】
2004222930.tif 000006